(57)【要約】【課題】燃料タンク下方のＶ型に配置されたシリンダ間のスペースを利用して、燃料ポンプを配置し、点検や保守が容易な自動二輪車を提供することを目的とする。【解決手段】Ｖ型にシリンダ２Ａ，２Ｂを配置した多気筒エンジン１を搭載した自動二輪車５０であって、前記Ｖ型に配置したシリンダ２Ａ，２Ｂに挟まれた空間３に、燃料ポンプ１０を配置し、該燃料ポンプ１０の側面を化粧カバー４によって側方から覆った。【選択図】図１
2005041364.tif 000002
【特許請求の範囲】
【請求項１】
Ｖ型にシリンダを配置した多気筒エンジンを搭載した自動二輪車であって、
前記Ｖ型に配置したシリンダに挟まれた空間に、燃料ポンプを配置し、該燃料ポンプの外側方を化粧カバーによって覆ったことを特徴とする自動二輪車。
【請求項２】
前記自動二輪車のメインフレームが幅方向の中央に前後方向に１本延設されており、前記燃料ポンプが、該メインフレーム上に載置された燃料タンクの一方の側部下方に配置されていることを特徴とする請求項１記載の自動二輪車。
【請求項３】
前記燃料ポンプの一部が燃料タンク内に内装されていることを特徴とする請求項１又は２記載の自動二輪車。
【請求項４】
前記化粧カバーの内方に、該燃料タンクに配置されている電気系統のカプラーが配置されていることを特徴とする請求項２又は３記載の自動二輪車。
【請求項５】
前記燃料タンクの下方に点火コイルが配置されるとともに、前記化粧カバーが点火コイルの側方に至る下方の位置まで延設されていることを特徴とする請求項２〜４のいずれか１の項に記載の自動二輪車。
【請求項６】
前記燃料タンクの少なくとも底部を下方から囲むようなＵ字形の板状のブラケットを、前記メインフレームに取着し、このブラケットに前記カプラーと点火コイルを取着したことを特徴とする請求項５に記載の自動二輪車。
【発明の詳細な説明】
【技術分野】
【０００１】
本発明は、自動二輪車に関し、詳しくはＶ型エンジン（Ｖ型にシリンダを配置した多気筒エンジンをいう）を搭載した自動二輪車、特にＶ型エンジンを搭載した所謂「アメリカンタイプ」の形式の自動二輪車に関する。
【背景技術】
【０００２】
自動二輪車において、シートを低くし、フロントフォークを長く且つ傾斜角度を大きくした所謂「アメリカンタイプ」と呼ばれる形態のものがある。
【０００３】
この「アメリカンタイプ」の自動二輪車が燃料噴射式のエンジンを搭載する場合には、先端にインジェクターが配置された燃料供給路（フュエル・レール）に加圧して燃料を供給しなければならないことから、燃料ポンプが必要となる。
【０００４】
一般の形態の自動二輪車において、前記燃料噴射式のエンジンを搭載する場合、比較的嵩張る燃料ポンプは、燃料タンク内に収容する（特許文献１参照）。
しかしながら、このようなタンク内に燃料ポンプを収容すると、燃料ポンプの点検や保守が難しい。
【０００５】
ところで、一般に、燃料タンク下方のＶ型に配置されたシリンダ間に挟まれた空間には、エアーフィルターボックスあるいは点火コイル等の補機類が配置される。
これに対して、前記「アメリカンタイプ」以外の一般の形態の自動二輪車の場合には、エアーフィルターボックス、点火コイルあるいは電気コードのカプラー等の補機類等は、シート下方のスペースに配置される。しかし、この「アメリカンタイプ」の自動二輪車では、前述のようにシート自体が低く且つ該シートの後方には後輪が近接して位置する（特許文献２参照）ことから、このシート下方にバッテリー等を配置すれば、このシート下方には余分なスペースがなく、従って、シート下方には、前記点火コイルや各種電気コードのコネクター等を配置することが難しい。
【特許文献１】日本国特開２００２−１６０６８５号公報。
【特許文献２】日本国特開２００３−８９３７６号公報。
【発明の開示】
【発明が解決しようとする課題】
【０００６】
本発明は、このような状況に鑑みておこなわれたもので、燃料タンク下方のＶ型に配置されたシリンダに挟まれたスペースを有効に利用して、燃料ポンプを配置し、該燃料ポンプの点検や保守が容易な自動二輪車を提供することを目的とする。
【課題を解決するための手段】
【０００７】
本発明にかかる自動二輪車は、Ｖ型にシリンダを配置した多気筒エンジンを搭載した自動二輪車であって、
前記Ｖ型に配置したシリンダに挟まれた空間に、燃料ポンプを配置し、該燃料ポンプの外側方を化粧カバーによって覆ったことを特徴とする。
【発明の効果】
【０００８】
そして、このように構成された自動二輪車によれば、Ｖ型に配置されたシリンダの間の空間を有効に利用することが可能となり、また、その外側方を化粧カバーによって覆っているため、美的外観が大きく評価される「アメリカンタイプ」の自動二輪車に好適な構成となる。加えて、前記化粧カバーを取り外すことによって、燃料ポンプの点検と保守が簡単に且つ視認しながらおこなうことができる。
【発明を実施するための最良の形態】
【０００９】
前記自動二輪車において、前記自動二輪車のメインフレームが幅方向の中央に前後方向に１本延設されており、前記燃料ポンプが、該メインフレーム上に載置された燃料タンクの一方の側部下方に配置されていると、燃料ポンプと反対側の側部下方の空間には、エアフィルターボックスやインジェクター等を配置することができ、極めて合理的な配置の自動二輪車を実現できる。
【００１０】
また、前記自動二輪車において、前記燃料ポンプの一部が燃料タンク内に内装されていると、燃料タンクに燃料ポンプを取り付けてこれらをサブユニット化でき、組立性および保守性が向上する。
【００１１】
また、前記自動二輪車において、前記化粧カバーの内方に、該燃料タンクに配置されている電気系統のカプラーが配置されていると、カプラーの点検と整備が容易におこなえる点で好ましい構成となる。
【００１２】
また、前記自動二輪車において、前記燃料タンクの下方に点火コイルが配置されるとともに、前記化粧カバーが点火コイルの側方に至る下方の位置まで延設されていると、点火コイルの点検と整備が容易におこなえる点で好ましい構成となる。
【００１３】
また、前記自動二輪車において、前記燃料タンクの少なくとも底部を下方から囲むようなＵ字形の板状のブラケットを、前記メインフレームに取着し、このブラケットに前記カプラーと点火コイルを取着した構成とすると、組立性と整備性に優れた構成となる。
【実施例１】
【００１４】
以下、図面を参照しながら、本発明の実施例にかかる自動二輪車について具体的に説明する。
【００１５】
図１は本発明の１つの実施例にかかる自動二輪車の全体側面図、図２は図１に示す自動二輪車の要部拡大側面図である。
【００１６】
図１に図示する所謂「アメリカンタイプ」の自動二輪車５０では、Ｖ型のエンジン１が搭載されている。このエンジン１において、Ｖ型に配置されているシリンダ２Ａとシリンダ２Ｂの間には、Ｖ型の空間３が形成されている。
このＶ型の空間３は、外側方に配置された化粧カバー４によって覆われている。
そして、この化粧カバー４の内方（車体の幅方向のセンター方）には、図２に図示するように、側面視がＵ字状の板材からなるブラケット５が配置され、このブラケット５の外側の面５Ａには、車両前方（図２において左方）から順に、燃料ポンプのカプラー６、燃料タンク頂面に配置されるメータ（速度計、距離計、燃料計等のメータ）のカプラー７、燃料ゲージのカプラー８が横並びに設けられている。これらの各カプラー６，７，８は、図３に図示するように、該ブラケット５に設けられた各フック金具５ａに係止されることによって取着されている。つまり、ワンタッチ式に着脱が可能となっている。
そして、このブラケット５の内方（車体の幅方向のセンター方）には、概略分解斜視図である図３に図示するように、各シリンダ２Ａ，２Ｂ用の点火コイル９Ａ，９Ｂが取着されている。
そして、図２に図示するように、側面視において、このブラケット５のＵ字状の内部に下部１０ａが位置するように燃料ポンプ１０が配置されている。
この燃料ポンプ１０は、図２あるいは図５に図示するように、その上部１０ｂが燃料タンク１１内に収容（内装）された状態で、該燃料タンク１１に一体になるようねじ止めされている。図５あるいは図６に図示するように、この燃料ポンプ１０の下端に設けられている燃料吐出口１０ｄには、ワンタッチカプラー１４（図５参照）によってワンタッチ式に、燃料供給ホース１３が接続される。この燃料供給ホース１３の先端は、図示しないインジェクターに接続されている。
また、図５に図示するように、この燃料ポンプ１０が取着されている燃料タンク１１の左側部の底部の部位１１ａは、その周囲の部分に比べて下方に位置するよう凹設されており、該燃料タンク１１内の燃料が少なくなっても、ほぼ最後まで燃料が円滑に供給できるよう構成されている。また、この自動二輪車では、サイドスタンド１７（図１参照）が、自動二輪車の左側に配置されているため、燃料が少なくなった状態でエンジンを始動する場合にも、円滑に燃料が供給できるように配慮されている。
そして、この燃料ポンプ１０に設けられている電気端子（図示せず）は、前記カプラー６と電気ケーブル（図示せず）で接続され、該燃料ポンプ１０に燃料供給用の電気が供給できるように構成されている。
【００１７】
ところで、この自動二輪車５０には、図５あるいは図２に図示するように、左右の中央位置にメインフレーム２０が、ステアリングヘッド２１部分から後輪２２（図１参照）部分にかけて前後方向に延設されている。そして、前記ブラケット５は、図２，図３あるいは図５に図示するように、このメインフレーム２０の左側部に、エンジン吊持金具２３を介して取着されている。このエンジン吊持金具２３は、Ｖ型に配置された２つのシリンダ２Ａ，２Ｂの上端部を支持している。
そして、前記化粧カバー４は、図３に図示するように、前記ブラケット５に着脱自在にねじ止めされている。
【００１８】
また、この自動二輪車５０の場合、図５に図示するように、前記メインフレーム２０を挟んで、前記燃料ポンプ１０等が配置されている左側の部位に対峙する右側の部位には、二点鎖線で示すエアクリーナボックス３０とインジェクター（図示せず）が配置されている。
【００１９】
そして、このように構成された本自動二輪車によれば、燃料ポンプ１０あるいは前記カプラー６，７，８又は点火コイル９Ａ，９Ｂを点検する際には、自動二輪車５０の左側方に露出している前記化粧カバー４を外せば、図２に図示するように、燃料ポンプ１０、前記カプラー６，７，８が側方に露呈した状態となるため、簡単に点検と整備をすることができる。
また、燃料タンク１１を取り外す場合にも、前記燃料供給ホース１３をワンタッチカプラー１４部分で取り外し、また、前記カプラー６，７，８部分で電気ケーブルを取り外せば、燃料タンク１１の燃料ポンプ１０より下流側への接続、メータ（速度計、距離計、燃料計等のメータ）への接続、燃料ゲージへの接続が解除できるため、簡単に該燃料タンク１１の取り外しをおこなうことができる。そして、かかる場合、燃料ポンプ１０は燃料タンク１１に一体にネジ止めされているため、該燃料タンク１１とフレーム２０から一体に取り外すことが可能となる。
【００２０】
また、前記燃料ポンプ１０、前記カプラー６，７，８および点火コイル９Ａ，９Ｂは、上方が燃料タンク１１で覆われ、左側方が前記化粧カバー４で覆われ、且つ底部がエンジン１のクランクケース１Ｃ（図１参照）で覆われているため、雨水等がかかることはない。
【００２１】
そして、外観上も、前記燃料ポンプ１０、前記カプラー６，７，８、点火コイル９Ａ，９Ｂ、およびブラケット５は、その側方（自動二輪車５０の左側の側方）が化粧カバー４によって覆われているため、極めて審美性の高い印象を与えることができる構成となっている。
【００２２】
このため、前記化粧カバー４は、ステンレス鋼で構成されるか、あるいは表面をクロムメッキあるいは金メッキ等のメッキ処理が施されることが好ましい。
【産業上の利用可能性】
【００２３】
本発明にかかる自動二輪車によれば、点検と整備性に優れ、且つ外観上も好ましい構成の自動二輪車を実現できる。
【００２４】
特に、「アメリカンタイプ」の自動二輪車に採用されると好ましい。しかしながら、この発明は、「アメリカンタイプ」の自動二輪車に限定されるものではない。
【図面の簡単な説明】
【００２５】
【図１】本発明の１つの実施例にかかる自動二輪車の全体側面図である。
【図２】図１に示す自動二輪車の要部拡大側面図である。
【図３】要部の構成を表す該要部の概略の分解斜視図である。
【図４】燃料タンクと一部が収容される燃料ポンプの構成を示す斜視図である。
【図５】メインフレームと燃料タンクと燃料ポンプ等の配置関係を示す図２のＶ−Ｖ矢視図である。
【図６】燃料タンクと燃料ポンプ等の平面的配置構成を表す図２のＶＩ−ＶＩ矢視図である。
【符号の説明】
【００２６】
１          エンジン
２Ａ，２Ｂ  シリンダ
４          化粧カバー
１０        燃料ポンプ
５０        自動二輪車
【図１】
2005041364.tif 000003
【図２】
2005041364.tif 000004
【図３】
2005041364.tif 000005
【図４】
2005041364.tif 000006
【図５】
2005041364.tif 000007
【図６】
2005041364.tif 000008